(57)【特許請求の範囲】
【請求項１】
監視対象機器リストに登録された監視対象となる１又は複数のフィールド機器におけるプロセス量を示すプロセスデータを収集し管理するプラント情報管理装置と、前記管理されたプロセスデータを取得し、この取得されたプロセスデータに基づいて前記フィールド機器の状態に関する情報を表示手段に表示させる表示制御手段を有する遠隔監視装置と、を備えたプラント監視システムにおいて、
前記遠隔監視装置は、前記表示手段に表示された画面に基づいて、前記フィールド機器のプロセスデータ収集に係る設定の変更指示を入力可能な入力手段と、前記変更された画面の表示に係るプロセスデータを取得するプロセスデータ取得手段と、を備え、
前記プラント情報管理装置は、前記プロセスデータ取得手段からのプロセスデータの取得を指示する指示情報に基づいて、前記監視対象機器リストの登録内容を変更する監視対象機器リスト管理手段と、を備え、
前記表示制御手段は、前記フィールド機器に対応するアイコン画像、前記フィールド機器のトレンドグラフ又は前記プロセスデータを所定の時間間隔毎に列挙した帳票画像を前記表示手段に表示させ、
前記入力手段は、前記アイコン画像が前記表示手段に表示された場合、前記アイコン画像に基づいて、前記アイコン画像の追加、前記アイコン画像の削除及び前記アイコン画像に関する情報の変更をそれぞれ入力可能であり、前記トレンドグラフ又は前記帳票画像が前記表示手段に表示された場合、前記トレンドグラフ又は前記帳票画面に基づいて、前記フィールド機器の追加、前記フィールド機器の削除及び前記フィールド機器に関する情報の変更をそれぞれ入力可能なことを特徴とするプラント監視システム。
【請求項２】
監視対象機器リストに登録された監視対象となる１又は複数のフィールド機器におけるプロセス量を示すプロセスデータを収集し管理するプラント情報管理装置と、前記管理されたプロセスデータを取得し、この取得されたプロセスデータに基づいて前記フィールド機器の状態に関する情報を表示手段に表示させる表示制御手段を有する遠隔監視装置と、を備えたプラント監視システムにおいて、
前記遠隔監視装置は、前記表示手段に表示された画面に基づいて、前記フィールド機器のプロセスデータ収集に係る設定の変更指示を入力可能な入力手段と、前記入力された指示情報に基づいて、前記監視対象機器リストの登録内容を変更する監視対象機器リスト管理手段と、を備え、
前記表示制御手段は、前記フィールド機器に対応するアイコン画像、前記フィールド機器のトレンドグラフ又は前記プロセスデータを所定の時間間隔毎に列挙した帳票画像を前記表示手段に表示させ、
前記入力手段は、前記アイコン画像が前記表示手段に表示された場合、前記アイコン画像に基づいて、前記アイコン画像の追加、前記アイコン画像の削除及び前記アイコン画像に関する情報の変更をそれぞれ入力可能であり、前記トレンドグラフ又は前記帳票画像が前記表示手段に表示された場合、前記トレンドグラフ又は前記帳票画面に基づいて、前記フィールド機器の追加、前記フィールド機器の削除及び前記フィールド機器に関する情報の変更をそれぞれ入力可能なことを特徴とするプラント監視システム。
【請求項３】
前記入力手段は、少なくともフィールド機器の新規登録、既に登録されたフィールド機器の削除及び既に登録されたフィールド機器に係る設定の変更を、前記プロセスデータの収集に係る設定の変更として指示可能なことを特徴とする請求項１又は２に記載のプラント監視システム。
【請求項４】
前記監視対象機器リスト管理手段は、前記指示情報によりフィールド機器の新規登録が指示された場合に、当該フィールド機器が前記監視対象機器リストに既に登録されているか否かを判定し、未登録と判定した場合に、前記監視対象機器リストへの登録を行うことを特徴とする請求項３に記載のプラント監視システム。
【請求項５】
前記監視対象機器リスト管理手段は、前記監視対象機器リストに登録されたフィールド機器に対するプロセスデータの最終取得日時から現在日時までの期間を算出し、この期間が所定の期間を上回ったフィールド機器を前記監視対象機器リストから削除することを特徴とする請求項１又は２に記載のプラント監視システム。
【発明の詳細な説明】
【技術分野】
【０００１】
本発明は、プラント内に設置されたフィールド機器から出力されるプロセスデータに基づいて、プラントの状態監視を行うプラント監視システムに関する。
【背景技術】
【０００２】
従来より、ＣＲＴ（Cathode-Ray Tube）やＬＣＤ（Liquid Crystal Display）等の遠隔監視装置を用いて、プラントの制御運転や監視を行うための分散形制御システム（ＤＣＳ；Distributed Control System）と呼ばれるプラント監視システムが利用されている。このプラント監視システムでは、プラント内に設置されたフィールド機器から出力される各種プロセスデータをプラント情報管理装置（ＰＩＭＳ；Plant Information Management System）が収集して管理し、この収集されたプロセスデータに基づいて遠隔監視装置がフィールド機器の状態に関する情報をトレンドグラフ等の表示形式で表示することで、オペレータはプラントの稼働状態を確認することができるようになっている。なお、ここでフィールド機器とは、温度センサ、圧力センサ、流量センサ等の計測機器と、バルブ開閉器や火力調整器等の調整機器を含む意であって、当該フィールド機器により計測される計測量や、調整の度合いを示す調整量等のプロセス量がプロセスデータとして出力される。
【０００３】
上記構成において、監視対象となるフィールド機器の新規追加（登録）を行う際には、この監視対象となるフィールド機器から出力されるプロセスデータを収集する必要があるため、プラント情報管理装置にその旨の設定を行う必要がある。また同様に、既に監視対象となっているフィールド機器の削除や設定変更を行う際においても、同様にプラント情報管理装置に登録されたフィールド機器に係る設定の削除又は登録内容の変更を行う必要がある。従来、フィールドバスシステムを構築するフィールド機器の登録・更新を支援する装置が提案されている（例えば、特許文献１参照）。
【０００４】
図１５は、従来のプラント監視システム１を示した図である。同図に示すように、プラント情報管理装置１０と遠隔監視装置２０とは、ＷＡＮ（Wide Area Network）、ＬＡＮ（Local Area Network）等の通信ネットワーク等を介して接続されている。遠隔監視装置２０はプラント情報管理装置１０の配置場所とは異なる場所に配置される。そのため、上述したフィールド機器の新規登録、削除又は変更等のプロセスデータ収集に係る設定の変更を行う際には、遠隔監視装置２０のオペレータが、プラント情報管理装置１０を管理するシステム管理者にフィールド機器の登録、変更又は削除を依頼するようになっている（図中、（１））。依頼を受けたシステム管理者は、プロセスデータ収集に係る設定変更用の定義ツールを用いて設定変更を行うことで、依頼したフィールド機器に係る情報を遠隔監視装置にて確認すること可能となる（図中（２））。また、フィールド機器の新規登録を行う場合には、システム管理者による新規登録の後、オペレータが遠隔監視装置２０にて該当するフィールド機器の表示に係る設定を行うことで、新規登録されたフィールド機器に係る情報を遠隔監視装置２０にて確認すること可能となる（図中（３））。
【特許文献１】特開２００３−１２４９３７号公報
【発明の開示】
【発明が解決しようとする課題】
【０００５】
しかしながら、従来のプラント監視システムでは、フィールド機器のプロセスデータ収集に係る設定変更をオペレータが直接行うことができず、システム管理者を介して行う必要があるため、手続きが煩雑となり、設定変更が反映されるまで時間を要するという問題がある。また、特許文献１に記載の装置では、上記課題に関しては何等記載されていないため、解決することはできない。
【０００６】
本発明の課題は、フィールド機器のプロセスデータの収集に係る設定変更を容易且つ迅速に行うことが可能なプラント監視システムを提供することである。
【課題を解決するための手段】
【０００７】
上記課題を解決するため、請求項１に記載の発明は、
監視対象機器リストに登録された監視対象となる１又は複数のフィールド機器におけるプロセス量を示すプロセスデータを収集し管理するプラント情報管理装置と、前記管理されたプロセスデータを取得し、この取得されたプロセスデータに基づいて前記フィールド機器の状態に関する情報を表示手段に表示させる表示制御手段を有する遠隔監視装置と、を備えたプラント監視システムにおいて、
前記遠隔監視装置は、前記表示手段に表示された画面に基づいて、前記フィールド機器のプロセスデータ収集に係る設定の変更指示を入力可能な入力手段と、前記変更された画面の表示に係るプロセスデータを取得するプロセスデータ取得手段と、を備え、
前記プラント情報管理装置は、前記プロセスデータ取得手段からのプロセスデータの取得を指示する指示情報に基づいて、前記監視対象機器リストの登録内容を変更する監視対象機器リスト管理手段と、を備え、
前記表示制御手段は、前記フィールド機器に対応するアイコン画像、前記フィールド機器のトレンドグラフ又は前記プロセスデータを所定の時間間隔毎に列挙した帳票画像を前記表示手段に表示させ、
前記入力手段は、前記アイコン画像が前記表示手段に表示された場合、前記アイコン画像に基づいて、前記アイコン画像の追加、前記アイコン画像の削除及び前記アイコン画像に関する情報の変更をそれぞれ入力可能であり、前記トレンドグラフ又は前記帳票画像が前記表示手段に表示された場合、前記トレンドグラフ又は前記帳票画面に基づいて、前記フィールド機器の追加、前記フィールド機器の削除及び前記フィールド機器に関する情報の変更をそれぞれ入力可能なことを特徴としている。
【０００８】
また、上記課題を解決するため、請求項２に記載の発明は、
監視対象機器リストに登録された監視対象となる１又は複数のフィールド機器におけるプロセス量を示すプロセスデータを収集し管理するプラント情報管理装置と、前記管理されたプロセスデータを取得し、この取得されたプロセスデータに基づいて前記フィールド機器の状態に関する情報を表示手段に表示させる表示制御手段を有する遠隔監視装置と、を備えたプラント監視システムにおいて、
前記遠隔監視装置は、前記表示手段に表示された画面に基づいて、前記フィールド機器のプロセスデータ収集に係る設定の変更指示を入力可能な入力手段と、前記入力された指示情報に基づいて、前記監視対象機器リストの登録内容を変更する監視対象機器リスト管理手段と、を備え、
前記表示制御手段は、前記フィールド機器に対応するアイコン画像、前記フィールド機器のトレンドグラフ又は前記プロセスデータを所定の時間間隔毎に列挙した帳票画像を前記表示手段に表示させ、
前記入力手段は、前記アイコン画像が前記表示手段に表示された場合、前記アイコン画像に基づいて、前記アイコン画像の追加、前記アイコン画像の削除及び前記アイコン画像に関する情報の変更をそれぞれ入力可能であり、前記トレンドグラフ又は前記帳票画像が前記表示手段に表示された場合、前記トレンドグラフ又は前記帳票画面に基づいて、前記フィールド機器の追加、前記フィールド機器の削除及び前記フィールド機器に関する情報の変更をそれぞれ入力可能なことを特徴としている。
【０００９】
更に、請求項３に記載の発明は、請求項１又は２に記載の発明において、
前記入力手段は、少なくともフィールド機器の新規登録、既に登録されたフィールド機器の削除及び既に登録されたフィールド機器に係る設定の変更を、前記プロセスデータの収集に係る設定の変更として指示可能なことを特徴としている。
【００１０】
更に、請求項４に記載の発明は、請求項３に記載の発明において、
前記監視対象機器リスト管理手段は、前記指示情報によりフィールド機器の新規登録が指示された場合に、当該フィールド機器が前記監視対象機器リストに既に登録されているか否かを判定し、未登録と判定した場合に、前記監視対象機器リストへの登録を行うことを特徴としている。
【００１１】
更に、請求項５に記載の発明は、請求項１又は２に記載の発明において、
前記監視対象機器リスト管理手段は、前記監視対象機器リストに登録されたフィールド機器に対するプロセスデータの最終取得日時から現在日時までの期間を算出し、この期間が所定の期間を上回ったフィールド機器を前記監視対象機器リストから削除することを特徴としている。
【発明の効果】
【００１５】
請求項１に記載の発明によれば、遠隔監視装置の表示手段に表示されたアイコン画像、トレンドグラフ又は帳票画像に基づいて、フィールド機器のプロセスデータ収集に係る設定の変更を指示することで、プラント情報管理装置の監視対象機器リストの登録内容を変更することが可能であるため、フィールド機器のプロセスデータの収集に係る設定変更を容易且つ迅速に行うことができる。また、システム管理者による監視対象機器リストの変更工程を減らすことができるため、システム管理者の負荷を減少することができる。
また、アイコン画像を表示させた画面（グラフィック画面）に対し入力手段を介して所定の操作を行うことにより、アイコン画像の追加、アイコン画像の削除及びアイコン画像に関する情報の変更をそれぞれ入力することが可能となる。
また、トレンドグラフを表示させた画面（トレンドグラフ画面）又は帳票画像を表示させた画面（帳票画面）に対し入力手段を介して所定の操作を行うことにより、フィールド機器の追加、フィールド機器の削除及びフィールド機器に関する情報の変更をそれぞれ入力することが可能となる。
【００１６】
請求項２に記載の発明によれば、遠隔監視装置の表示手段に表示されたアイコン画像、トレンドグラフ又は帳票画像に基づいて、フィールド機器のプロセスデータ収集に係る設定の変更を指示することで、プラント情報管理装置の監視対象機器リストの登録内容を変更することが可能であるため、フィールド機器のプロセスデータの収集に係る設定変更を容易且つ迅速に行うことができる。また、システム管理者による監視対象機器リストの変更工程を減らすことができるため、システム管理者の負荷を減少することができる。
また、アイコン画像を表示させた画面（グラフィック画面）に対し入力手段を介して所定の操作を行うことにより、アイコン画像の追加、アイコン画像の削除及びアイコン画像に関する情報の変更をそれぞれ入力することが可能となる。
また、トレンドグラフを表示させた画面（トレンドグラフ画面）又は帳票画像を表示させた画面（帳票画面）に対し入力手段を介して所定の操作を行うことにより、フィールド機器の追加、フィールド機器の削除及びフィールド機器に関する情報の変更をそれぞれ入力することが可能となる。
【００１７】
請求項３に記載の発明によれば、少なくともフィールド機器の新規登録、既に登録されたフィールド機器の削除及び既に登録されたフィールド機器に係る設定の変更を容易且つ迅速に行うことができる。
【００１８】
請求項４に記載の発明によれば、指示情報によりフィールド機器の新規登録が指示された場合に、当該フィールド機器が前記監視対象機器リストに既に登録されているか否かを判定し、未登録と判定された場合に監視対象機器リストへの登録を行うため、同一のフィールド機器が重複して登録されることを防止することができる。
【００１９】
請求項５に記載の発明によれば、監視対象機器リストに登録されたフィールド機器に対するプロセスデータの最終取得日時から現在日時までの期間を算出し、この期間が所定の期間を上回ったフィールド機器を監視対象機器リストから削除する。これにより、プロセスデータの取得が行われなくなったフィールド機器を監視対象機器リストから削除することが可能であるため、不必要なデータの送受信量を低減させることができるとともに、プラント情報管理装置にかかる負荷を低減することができる。
【発明を実施するための最良の形態】
【００２３】
以下、図面を参照して本発明を実施するための最良の形態について詳細に説明する。ただし、発明の範囲は図示例に限定されないものとする。
【００２４】
＜第１の実施形態＞
まず、図１を参照して本実施形態におけるプラント監視システム１の構成を説明する。同図に示すように、プラント監視システム１は、プラント情報管理装置１０、遠隔監視装置２０、プラント３０から構成される。プラント情報管理装置１０は、プラント３０に設けられた１又は複数のフィールド機器（タグ）３１から出力されるプロセスデータを時系列的に収集及び記憶する。遠隔監視装置２０は、プラント情報管理装置１０により収集されたプロセスデータに基づいてフィールド機器３１の状態に関する情報を後述する表示手段２３に表示する。この遠隔監視装置２０は、表示手段２３に表示された各種画面に基づいてプラント３０の監視を行うオペレータにより管理されている。なお、本実施形態においてプロセスデータは、フィールド機器３１から出力されるバッチデータ、イベントメッセージ、ラボデータ等の各種データを含むものとする。また、本実施形態において、フィールド機器３１とは、温度センサ、圧力センサ、流量センサ等の計測機器と、バルブ開閉器や火力調整器等の調整機器を含む意であって、当該フィールド機器３１により計測される計測量や、調整の度合いを示す調整量等のプロセス量がプロセスデータとして出力される。
【００２５】
プラント情報管理装置１０と遠隔監視装置２０とは、ＬＡＮ（Local Area Network）やＷＡＮ（Wide Area Network）等のネットワーク４０を介して接続されている。なお、プラント情報管理装置１０と遠隔監視装置２０との間の通信方式は特に問わないものとするが、ＯＰＣ（OLE for Process Control）Ｆｏｕｎｄａｔｉｏｎ規格に準拠した通信方式であることが好ましく、この場合、後述する通信手段１６及び通信手段２５はＯＰＣ規格に準拠したインターフェイスを用いることとする。また、プラント情報管理装置１０と遠隔監視装置２０との間の通信は、有線又は無線を問わないものとする。
【００２６】
プラント情報管理装置１０とプラント３０とは、制御バス５０を介して接続されている。プラント情報管理装置１０は、プラント３０に備えられたＤＣＳ（Distributed Control System）やＰＬＣ（Programmable Logic Controller）等の制御システム３２、ＯＰＣ（OLE for Process Control）  ＣＯＭ（Component Object Model）及びＯＰＣ規格に基づいて定義されたインターフェイスを実行するＯＰＣサーバ３３を介して、フィールド機器３１から出力されるプロセスデータを収集する。なお、プラント情報管理装置１０は、ＯＰＣＦｏｕｎｄａｔｉｏｎ規格に準拠したインターフェイスを有しているものとし、プラント情報管理装置１０及びプラント３０間の通信は、ＯＰＣ  Ｆｏｕｎｄａｔｉｏｎ規格に準拠したデータ形式で行われるものとする。
【００２７】
また、プラント監視システム１では、後述する遠隔監視装置２０の表示手段２３に表示された画面（グラフィック画面、トレンドグラフ画面、帳票画面）に基づいて、オペレータが入力手段２２を介してフィールド機器３１のプロセスデータの収集に係る設定の変更を指示することが可能となっており（図中（１））、この指示された指示情報に基づいて、後述するプラント情報管理装置１０の監視対象機器リスト管理手段１１１が監視対象機器リスト１４１の登録内容を変更することでプロセスデータの収集に係る設定が変更されるようになっている（図中（２））。
【００２８】
以下、図２〜図７を参照して、プラント監視システム１を構成する各装置について説明する。
図２は、プラント情報管理装置１０の内部構成の一例を示すブロック図である。プラント情報管理装置１０は、図２に示すとおり、制御手段１１、入力手段１２、表示手段１３、記憶手段１４、ＯＰＣ通信手段１５、通信手段１６等から構成され、各部はバス１７により接続されている。
【００２９】
制御手段１１は、ＣＰＵ（Central Processing Unit）、ＲＯＭ（Read Only Memory）、ＲＡＭ（Random Access Memory）等により構成され、ＲＯＭ及び／又は記憶手段１４に記憶された各種設定情報やシステムプログラム等を読み出して実行することにより、プラント情報管理装置１０全体を統括的に制御する。具体的に、制御手段１１は、遠隔監視装置２０からのプロセスデータの取得を指示する指示情報に基づいて、記憶手段１４に記憶された監視対象機器リスト１４１の登録内容を変更する監視対象機器リスト管理手段１１１と、この監視対象機器リスト１４１に登録された１又は複数のフィールド機器３１から出力されるプロセスデータを収集し、後述する記憶手段１４に記憶させるプロセスデータ収集手段１１２としての機能をＲＯＭ及び／又は記憶手段１４に記憶された各種設定情報やシステムプログラムとの協働により実現する。
【００３０】
また、監視対象機器リスト管理手段１１１は、遠隔監視装置２０からの指示情報によりフィールド機器３１の新規登録が指示された場合に、当該フィールド機器３１が監視対象機器リスト１４１に既に登録されているか否かを判定し、未登録と判定した場合に前記監視対象機器リスト１４１へ登録を行う。
【００３１】
さらに、監視対象機器リスト管理手段１１１は、監視対象機器リスト１４１に登録されたフィールド機器３１のうち、プロセスデータ最終取得日時から現在日時までの期間が所定の期間を上回ったフィールド機器３１に関する登録を前記監視対象機器リスト１４１から削除する。
【００３２】
入力手段１２は、プラント情報管理装置１０の各種動作を指示するためのキーボードやマウス等であって、ユーザから操作入力された情報を入力信号として受け付け、その入力信号を制御手段１１に出力する。表示手段１３は、ＣＲＴやＬＣＤ等により構成され、制御手段１１からの表示信号に基づいて各種情報を表示する。また、表示手段１３は、入力手段１２と一体的にタッチパネルを構成することとしてもよい。
【００３３】
記憶手段１４は、磁気的、光学的記録媒体若しくは半導体メモリで構成される不揮発性の記憶媒体を備え、プラント情報管理装置１０の動作に必要なシステムプログラムや当該システムプログラムの実行にかかるデータを記憶する。なお、記録媒体は、着脱自在に装着可能な構成としてもよい。
【００３４】
記憶手段１４は、プラント３０に備えられたフィールド機器３１のうち、監視対象となる１又は複数のフィールド機器３１に関する情報が登録された監視対象機器リスト１４１を記憶し、プロセスデータ収集手段１１２は、この監視対象機器リスト１４１に基づいてプロセスデータ収集手段１１２はプロセスデータの収集を行う。ここで、監視対象機器リスト１４１には、監視対象となるフィールド機器３１と一意に対応する識別名称（機器タグ名）が登録されており、この機器タグ名と対応づけてプロセスデータの収集を行う時刻を示した時刻情報等が登録される。なお、監視対象機器リスト１４１に登録される情報はこれらに限らず、例えば、各フィールド機器３１にユニークに付与されたノードアドレス、機器クラス等を機器タグ名と対応付けて登録する態様としてもよい。
【００３５】
また、記憶手段１４は、記憶手段１４の監視対象機器リスト１４１に登録された各フィールド機器３１対する遠隔監視装置２０からのプロセスデータ取得日時を記録するための履歴情報１４２を記憶しており、制御手段１１の制御の下、不図示の計時手段に基づいてプロセスデータの取得が行われた際の時刻が当該プロセスデータの取得に係るフィールド機器３１の機器タグ名と対応づけて逐次記憶される。
【００３６】
さらに、記憶手段１４の所定の記憶領域には、データベース手段としてのヒストリアンＤＢ（データベース）１４３が構築されており、このヒストリアンＤＢ１４３にフィールド機器３１から取得されたプロセスデータが時系列的に記憶され管理されている。なお、本実施の形態では、ヒストリアンＤＢ１４３を記憶手段１４に構築されているものとするが、これに限らず、プラント情報管理装置１０が接続可能な外部記憶装置に、ヒストリアンＤＢ１４３が構築されている態様としてもよい。
【００３７】
ＯＰＣ通信手段１５は、ＯＰＣ  Ｆｏｕｎｄａｔｉｏｎ規格に準拠したＯＰＣインターフェイスにより構成され、制御手段１１の制御に基づいてプラント３０に設けられた1又は複数のフィールド機器３１からプロセスデータを収集する。また、このＯＰＣ通信手段１５を介して、プラント情報管理装置１０からプラント３０に設けられた1又は複数のフィールド機器３１を制御することが可能となっている。
【００３８】
通信手段１６は、モデム、ターミナルアダプタ、ＬＡＮアダプタ等により構成され、制御手段１１の制御の下、遠隔監視装置２０のプロセスデータ取得手段２１１から送信されるプロセスデータの取得を指示する指示情報を受信し、この指示情報に基づいてヒストリアンＤＢ１４３から読み出されたプロセスデータを遠隔監視装置２０に送信する。
【００３９】
図３は、遠隔監視装置２０の内部構成の一例を示すブロック図である。遠隔監視装置２０は、図３に示すとおり、制御手段２１、入力手段２２、表示手段２３、記憶手段２４、通信手段２５等から構成され、各部はバス２６により接続されている。
【００４０】
制御手段２１は、ＣＰＵ、ＲＯＭ、ＲＡＭ等により構成され、ＲＯＭ及び／又は記憶手段２４に記憶された各種設定情報やシステムプログラム等を読み出して実行することにより、遠隔監視装置２０全体を統括的に制御する。具体的に、制御手段２１は、フィールド機器３１の状態に関する情報の表示に係るプロセスデータをプラント情報管理装置１０のヒストリアンＤＢ１４３から取得するプロセスデータ取得手段２１１と、取得されたプロセスデータに基づいてフィールド機器３１の状態に関する情報を表示手段２３に表示させる表示制御手段２１２としての機能をＲＯＭ及び／又は記憶手段２４に記憶された各種設定情報やシステムプログラムとの協働により実現する。
【００４１】
入力手段２２は、遠隔監視装置２０の各種動作を指示するためのキーボードやマウス等であって、ユーザから操作入力された情報を入力信号として受け付け、その入力信号を制御手段２１に出力する。表示手段２３は、ＣＲＴやＬＣＤ等により構成され、制御手段２１からの表示信号に基づいて各種情報を表示する。また、表示手段２３は、入力手段２２と一体的にタッチパネルを構成することとしてもよい。
【００４２】
図４〜図６は、表示手段２３に表示されたフィールド機器３１の状態に関する情報の一例を示す図である。
図４は、プラント情報管理装置１０から取得したプロセスデータに基づいて、監視対象となるフィールド機器に対応するアイコン画像（図中、４ａ、４ｂ及び４ｃ）を表示させた画面（以下、グラフィック画面という）の一例を示す図である。ここで、各アイコン画像は、プラント３０内における監視対象となるフィールド機器３１の設置状況と対応した表示構成で表示されており、各フィールド機器３１に対応する機器タグ名（図中、２１Ｔ１３１４等）がそれぞれ付与されている。また、各アイコン画像には、当該アイコン画像に対応するフィールド機器３１から出力されたプロセスデータに関する情報が数値、文字又は状態を示す画像により示されており、これら情報により各フィールド機器３１の状態を視認により確認することが可能となっている。
【００４３】
オペレータは、このグラフィック画面に対し入力手段２２を介して所定の操作を行うことにより、アイコン画像の追加、アイコン画像の削除及びアイコン画像に関する情報の変更（例えば、プロセスデータ収集時刻の変更等）をそれぞれ指示（入力）することが可能となっている。
【００４４】
図５は、プラント情報管理装置１０から取得したプロセスデータに基づいて、監視対象となるフィールド機器３１のトレンドグラフを表示させた画面（以下、トレンドグラフ画面という）の一例を示す図である。同図において、表示領域Ａに表示されたトレンドグラフは、表示領域Ｂに一覧表示されたプラント３０内における監視対象となるフィールド機器３１に対応する機器タグ名（図中、Ｆ００１ＰＩＤ０１等）のうち、「Ｆ００２ＰＩＤ０１」及び「Ｆ０１１ＰＩＤ０１」に係るプロセスデータの所定時間における動向を示したグラフである。また、表示領域Ｃには、表示領域Ａに表示されたトレンドグラフに関する各種情報が表示される。
【００４５】
オペレータは、このトレンドグラフ画面（例えば、表示領域Ｂ及び／又は表示領域Ｃ）に対し入力手段２２を介して所定の操作を行うことにより、フィールド機器の追加、フィールド機器３１の削除及びフィールド機器３１に関する情報の変更をそれぞれ指示することが可能となっている。
【００４６】
図６は、プラント情報管理装置１０から取得したプロセスデータに基づいて、監視対象となるフィールド機器３１のプロセスデータを所定の時間間隔毎に列挙した帳票画像を表示させた画面（以下、帳票画面という）に一例を示す図である。同図において、「名称」に対応する行の各項目（セル）には、フィールド機器３１に対応する機器タグ名が表示されており（Ｒｏｏｔ．蒸留塔．ＦＣ１０１．Ｐ等）、続く「説明」及び「単位」に対応する行の各セルには、上段の機器タグ名で示された各フィールド機器３１に関する説明、プロセスデータとして出力されたデータ値の単位がそれそれ表示されている。また続く「０：００〜２３：００」までの行に対応する各セルには、上段の機器タグ名で示された各フィールド機器３１の時刻０：００〜２３：００における１時間毎のプロセスデータのデータ値がそれぞれ表示されており、各データ値の平均値と積算値が続く「平均値」、「積算値」の行に対応するセルにそれぞれ表示されている。
【００４７】
オペレータは、この帳票画面（例えば、「名称」に対応する行の各セル）に対し入力手段２２を介して所定の操作を行うことにより、フィールド機器３１の追加、フィールド機器３１の削除及びフィールド機器３１に関する情報の変更をそれぞれ指示することが可能となっている。
【００４８】
図３に戻り、記憶手段２４は、磁気的、光学的記録媒体若しくは半導体メモリで構成される不揮発性の記憶媒体を備え、遠隔監視装置２０の動作に必要なシステムプログラムや当該システムプログラムの実行にかかるデータを記憶する。なお、記録媒体は、着脱自在に装着可能な構成としてもよい。
【００４９】
通信手段２５は、モデム、ターミナルアダプタ、ＬＡＮアダプタ等により構成され、制御手段２１の制御に基づいて、表示手段２３の画面（グラフィック画面、トレンドグラフ画面、帳票画面）の表示に係るプロセスデータの取得を指示する指示信号をプラント情報管理装置１０に送信し、この指示されたプロセスデータをプラント情報管理装置１０から受信する。
【００５０】
図７は、プラント３０の構成の一例を示す図である。
プラント３０は、所定の生産物を生産するための装置、工作物、その他の機械の複合体等からなる生産設備一式を有した工場施設であって、図７に示すとおり、各生産設備の稼働状態等を計測するための１又は複数のフィールド機器３１、上述した制御システム３２、ＯＰＣサーバ３３を備えている。フィールド機器３１で計測された各種データ値は、制御システム３２、ＯＰＣサーバ３３を介し、プロセスデータとしてプラント情報管理装置１０のプロセスデータ収集手段１１２により収集されるようになっている。なお、設置されるフィールド機器３１の数量は図示例に限らず、任意に設定可能であるものとする。
【００５１】
ここで、ＯＰＣサーバ３３は、プラント情報管理装置１０から送信されるプロセスデータの収集指示情報に基づいて、当該収集指示情報で指示されたフィールド機器３１のプロセスデータを、制御システム３２を介して取得し、プラント情報管理装置１０に送信する。また、プラント情報管理装置１０から送信されるフィールド機器３１の制御情報に基づいて、当該制御情報で指示されたフィールド機器３１の制御を行う。なお、ＯＰＣサーバ３３は、各フィールド機器３１の機器タグ名と各フィールド機器３１にユニークに付与されたノードアドレスとを対応付けたテーブルを不図示の記憶手段に記憶しており、当該テーブルに基づいてプラント情報管理装置１０かの指示に応じたフィールド機器３１を一意に識別可能であるものとする。
【００５２】
次に、図８〜図１０を参照して、プラント監視システム１の動作を説明する。
図８は、プラント監視システム１の動作を説明するための図であって、各装置間における各種データ（情報）の流れを示している。
【００５３】
まず、図９を参照して遠隔監視装置２０からプロセスデータ収集に係る設定の変更が指示された際のプロセスデータ取得処理について説明する。なお、本処理において、ステップＳ１１〜Ｓ１５の各処理は、遠隔監視装置２０の制御手段２１とＲＯＭ及び／又は記憶手段２４に記憶されたシステムプログラムとの協働により実行される処理を示しており、ステップＳ２１〜ステップＳ２６の各処理は、プラント情報管理装置１０の制御手段１１とＲＯＭ及び／又は記憶手段１４に記憶されたシステムプログラムとの協働により実行される処理を示している。
【００５４】
本処理の前提として、遠隔監視装置２０の表示手段２３に、プラント情報管理装置１０から取得されたプロセスデータに基づいて、監視対象となるフィールド機器の状態に関する情報（グラフィック画面、トレンドデータ画面又は帳票画面）が表示されているものとし、この画面の表示に係るプロセスデータの取得がプロセスデータ取得手段２１１により行われるものとする。
【００５５】
まず、表示手段２３に表示された画面に基づいて入力手段２２を介した所定の操作により、フィールド機器の新規登録、監視対象機器リスト１４１に登録されたフィールド機器の削除又は監視対象機器リスト１４１に登録されたフィールド機器に係る設定の変更を指示する操作が入力されると（ステップＳ１１）、この入力された指示情報に基づいて表示手段２３に表示された画面が変更される（ステップＳ１２）。次いで、この変更された画面の表示に係るプロセスデータの取得を指示する指示情報が、通信手段２５を介してプラント情報管理装置１０に送信される（ステップＳ１３）。
【００５６】
一方、プラント情報管理装置１０では、プロセスデータの取得を指示する指示情報が、通信手段１６を介して受信されると（ステップＳ２１；Ｙｅｓ）、この指示内容が監視対象機器リスト１４１の登録内容と比較されることで、フィールド機器に係る設定の変更指示内容が解析され、その指示内容がフィールド機器３１の新規登録を指示するものか否かが判定される（ステップＳ２２）。
【００５７】
ここで、指示情報が新規登録を指示するものと判定された場合には（ステップＳ２２；Ｙｅｓ）、新規登録として指示されたフィールド機器３１が記憶手段１４の監視対象機器リスト１４１に既に登録されているか否かが判定され、既に登録されていると判定された場合には（ステップＳ２３；Ｙｅｓ）、ステップＳ２５に直ちに移行する。一方、ステップＳ２３において、監視対象機器リスト１４１に登録されていないと判定された場合には（ステップＳ２３；Ｎｏ）、ステップＳ２４に移行し、遠隔監視装置２０からの指示情報に基づいて監視対象機器リスト管理手段１１１により監視対象機器リストの登録内容の変更、即ち、新規登録として指示されたフィールド機器３１が監視対象機器リスト１４１に登録され（ステップＳ２４）、ステップＳ２５に移行する。
【００５８】
このように、遠隔監視装置２０からの指示情報によりフィールド機器３１の新規登録が指示された場合には、当該フィールド機器３１が前記監視対象機器リスト１４１に既に登録されているか否かを判定し、未登録と判定された場合に監視対象機器リスト１４１への登録を行うため、同一のフィールド機器３１が重複して登録されることを防止することができる。
【００５９】
ステップＳ２２において、指示情報がフィールド機器３１の新規登録を指示するものでないと判定された場合、つまりフィールド機器３１の削除又はフィールド機器３１に係る設定の変更が指示された場合には（ステップＳ２２；Ｎｏ）、受信された指示情報に基づいて監視対象機器リスト管理手段１１１により監視対象機器リスト１４１の登録内容が変更、即ち、監視対象機器リスト１４１に登録されたフィールド機器３１の削除又はフィールド機器３１に係る設定の変更が行われ（ステップＳ２４）、ステップＳ２５に移行する。
【００６０】
ステップＳ２５では、監視対象機器リスト１４１の登録内容に基づいて、ＯＰＣ通信手段１５を介してフィールド機器３１からプロセスデータの収集が行われ、プロセスデータがヒストリアンＤＢ１４３に記憶される（ステップＳ２５）。そして、このヒストリアンＤＢ１４３から遠隔監視装置２０からの指示情報により取得が指示されたプロセスデータが読み出され、通信手段１６を介して遠隔監視装置２０に送信される（ステップＳ２６）。一方、プロセスデータを受信（取得）した遠隔監視装置２０では（ステップＳ１４；Ｙｅｓ）、このプロセスデータに基づいてフィールド機器３１の状態に関する情報が表示手段に表示されて（ステップＳ１５）、本処理は終了する。
【００６１】
以上のように、遠隔監視装置２０の表示手段２３に表示された画面（グラフィック画面、トレンドグラフ画面、帳票画面）に基づいて、フィールド機器３１のプロセスデータ収集に係る設定の変更を指示することで、プラント情報管理装置１０の記憶手段１４に記憶された監視対象機器リスト１４１の登録内容を変更することが可能であるため、フィールド機器３１のプロセスデータの収集に係る設定変更を容易且つ迅速に行うことができる。また、システム管理者による監視対象機器リスト１４１の変更工程を減らすことができるため、システム管理者の負荷を減少することができる。
【００６２】
次に、図１０を参照して、プラント情報管理装置１０の監視対象機器リスト管理手段１１１により行われる監視対象機器リスト管理処理について説明する。なお、本処理において、ステップＳ３１〜ステップＳ３４の各処理は、プラント情報管理装置１０の制御手段１１とＲＯＭ及び／又は記憶手段１４に記憶されたシステムプログラムとの協働により実行される処理を示している。また、本処理は、常時又は所定期間毎に行われるものとし、その期間は任意に設定可能であるものとする。
【００６３】
まず、記憶手段１４の監視対象機器リスト１４１に登録された各フィールド機器３１に対する遠隔監視装置２０からのプロセスデータ最終取得日時が、記憶手段１４に記憶された履歴情報から参照される（ステップＳ３１）。次いで、このプロセスデータ最終取得日時から現在日時までの期間が算出され（ステップＳ３２）、この算出された期間が所定の期間（例えば、３０日）を上回るフィールド機器３１が存在するか否かが判定される（ステップＳ３３）。なお、この所定期間は、プラント監視システム１の環境に応じて適宜変更可能であるものとする。
【００６４】
ここで、所定期間を上回ったフィールド機器３１が存在すると判定された場合には（ステップＳ３３；Ｙｅｓ）、プロセスデータ収集手段１１２により監視対象機器リスト１４１から当該所定期間を上回ったフィールド機器３１に関する登録が削除されて（ステップＳ３４）、本処理は終了する。一方、ステップＳ３２において、所定期間を上回ったフィールド機器３１は存在しないと判定された場合には（ステップＳ３３；Ｎｏ）、本処理は直ちに終了する。
【００６５】
以上のように、監視対象機器リスト１４１に登録された各フィールド機器３１に対する、プロセスデータの最終取得日時から現在日時までの期間を算出し、この算出結果が所定期間を上回ったフィールド機器３１を前記監視対象機器リスト１４１から削除する。これにより、プロセスデータの取得が行われなくなったフィールド機器３１を監視対象機器リスト１４１から削除することが可能であるため、不必要なデータの送受信量を低減させることができるとともに、プラント情報管理装置１０にかかる負荷を低減することができる。
【００６６】
＜第２の実施形態＞
次に、プラント監視システム１の第２の実施形態について説明する。なお、説明の簡略化のため、上述した第１の実施形態と同一要素については同符号を付し、その詳細な説明は適宜省略する。
【００６７】
まず、図１１を参照して、本実施形態の遠隔監視装置２０の内部構成について説明する。遠隔監視装置２０は、図１１に示すとおり、制御手段２１、入力手段２２、表示手段２３、記憶手段２４、通信手段２５等から構成され、各部はバス２６により接続されている。
【００６８】
制御手段２１は、表示手段２３の画面に基づいて入力手段２２を介して入力されたプロセスデータの取得を指示する指示情報に基づいて、プラント情報管理装置１０の記憶手段２４に記憶された監視対象機器リスト１４１の登録内容を変更する監視対象機器リスト管理手段２１３としての機能をＲＯＭ及び／又は記憶手段２４に記憶された各種設定情報やシステムプログラムとの協働により実現する。
【００６９】
具体的に、監視対象機器リスト管理手段２１３は、入力手段２２を介して入力されたプロセスデータの取得を指示する指示情報に基づいて、監視対象機器リスト１４１の登録内容を変更する登録内容変更指示情報を生成し、この登録内容変更指示情報を通信手段２５を介してプラント情報管理装置１０に送信する。
【００７０】
ここで、登録内容変更指示情報は、プラント情報管理装置１０の制御手段１１が解釈可能なコマンド情報としてもよく、例えば、プラント情報管理装置１０において監視対象機器リスト１４１がＳＱＬサーバ等により管理されている場合には、登録内容変更指示情報としてＳＱＬコマンドが生成されることとしてもよい。
【００７１】
また、監視対象機器リスト管理手段２１３は、プロセスデータの取得を指示する指示情報によりフィールド機器３１の新規登録が指示された場合に、当該フィールド機器３１が監視対象機器リスト１４１に既に登録されているか否かを判定する機能を有し、未登録と判定した場合に監視対象機器リスト１４１へ登録を行う。
【００７２】
さらに、監視対象機器リスト管理手段１１１は、監視対象機器リスト１４１に登録されたフィールド機器３１のうち、プロセスデータ最終取得日時から現在日時までの期間が所定の期間を上回ったフィールド機器３１を監視対象機器リスト１４１から削除する機能を有する。
【００７３】
記憶手段２４は、記憶手段１４の監視対象機器リスト１４１に登録された各フィールド機器３１対するプロセスデータ取得日時を記録するための履歴情報２４１を記憶しており、制御手段２１の制御の下、不図示の計時手段に基づいてプロセスデータの取得が行われた際の時刻が当該プロセスデータの取得に係るフィールド機器３１の機器タグ名と対応づけて逐次記憶される。
【００７４】
通信手段２５は、監視対象機器リスト管理手段２１３により生成された登録内容変更指示情報をプラント情報管理装置１０に送信する。
【００７５】
図２に示した、プラント情報管理装置１０の制御手段１１は、通信手段１６を介して受信した登録内容変更指示情報に基づいて、監視対象機器リスト１４１の登録内容を変更する。なお、制御手段１１は監視対象機器リスト管理手段１１１を有してもよいし、有さないこととしてもよい。
【００７６】
また、記憶手段１４は、通信手段１６を介して遠隔監視装置２０が監視対象機器リスト１４１を参照可能な形態で記憶する。
【００７７】
次に、図１２〜図１４を参照して、プラント監視システム１の動作を説明する。
図１２は、プラント監視システム１の動作を説明するための図であって、各装置間における各種データ（情報）の流れを示している。
【００７８】
まず、図１２を参照して遠隔監視装置２０からプロセスデータ収集に係る設定の変更が指示された際のプロセスデータ取得処理について説明する。なお、本処理において、ステップＳ４１〜Ｓ４９の各処理は、遠隔監視装置２０の制御手段２１とＲＯＭ及び／又は記憶手段２４に記憶されたシステムプログラムとの協働により実行される処理を示しており、ステップＳ５１〜ステップＳ５４の各処理は、プラント情報管理装置１０の制御手段１１とＲＯＭ及び／又は記憶手段１４に記憶されたシステムプログラムとの協働により実行される処理を示している。
【００７９】
本処理の前提として、遠隔監視装置２０の表示手段２３に、プラント情報管理装置１０から取得されたプロセスデータに基づいて、監視対象となるフィールド機器３１の状態に関する情報（グラフィック画面、トレンドデータ画面又は帳票画面）が表示されているものとし、この画面の表示に係るプロセスデータの取得がプロセスデータ取得手段２１１により行われるものとする。
【００８０】
まず、表示手段２３に表示された画面に基づいて入力手段２２を介した所定の操作により、フィールド機器３１の新規登録、監視対象機器リスト１４１に登録されたフィールド機器３１の削除又は監視対象機器リスト１４１に登録されたフィールド機器３１に係る設定の変更を指示する操作が入力されると（ステップＳ４１）、この入力された指示情報に基づいて表示手段２３に表示された画面が変更される（ステップＳ４２）。
【００８１】
次いで、入力手段２２を介して指示された指示内容がフィールド機器の新規登録を指示するものか否かが判定される（ステップＳ４３）。ここで、新規登録を指示するものと判定された場合には（ステップＳ４３；Ｙｅｓ）、記憶手段１４に記憶された監視対象機器リスト１４１が参照されて、新規登録として指示されたフィールド機器３１が記憶手段１４の監視対象機器リスト１４１に既に登録されているか否かが判定される（ステップＳ４４）。
【００８２】
ステップＳ４４において、既に登録されていると判定された場合には（ステップＳ４４；Ｙｅｓ）、ステップＳ４７へと直ちに移行する。また、監視対象機器リスト１４１に登録されていないと判定された場合には（ステップＳ４４；Ｎｏ）、ステップＳ４１で入力された指示情報に基づいて登録内容変更指示情報が生成、即ち、新規登録として指示されたフィールド機器３１を監視対象機器リスト１４１に登録させる指示を含んだ登録内容変更指示情報が生成され（ステップＳ４５）、この登録内容変更指示情報が通信手段２５を介してプラント情報管理装置１０に送信される（ステップＳ４６）。
【００８３】
このように、入力手段２２を介して入力された指示情報によりフィールド機器３１の新規登録が指示された場合には、当該フィールド機器３１が前記監視対象機器リスト１４１に既に登録されているか否かを判定し、未登録と判定された場合に監視対象機器リスト１４１への登録を行うため、同一のフィールド機器３１が重複して登録されることを防止することができる。
【００８４】
ステップＳ４３において、指示情報がフィールド機器３１の新規登録を指示するものでないと判定された場合、つまりフィールド機器３１の削除又はフィールド機器に係る設定の変更が指示された場合には（ステップＳ４３；Ｎｏ）、この指示情報に基づいて登録内容変更指示情報が生成、即ち、監視対象機器リスト１４１に登録されたフィールド機器３１の削除又はフィールド機器３１に係る設定の変更を実行させる指示を含んだ登録内容変更指示情報が生成され（ステップＳ４５）、この登録内容変更指示情報が通信手段２５を介してプラント情報管理装置１０に送信される（ステップＳ４６）。
【００８５】
続くステップＳ４７では、変更された画面の表示に係るプロセスデータの取得を指示する指示情報が、通信手段２５を介してプラント情報管理装置１０に送信される（ステップＳ４７）。
【００８６】
一方、プラント情報管理装置１０では、遠隔監視装置２０から送信された登録内容変更指示情報が通信手段１６を介して受信されると（ステップＳ５１；Ｙｅｓ）、この登録内容変更指示情報に基づいて監視対象機器リスト１４１の登録内容が変更される（ステップＳ５２）。なお、登録内容変更指示情報が受信されない場合（即ち、遠隔監視装置２０にステップＳ４３において、監視対象機器リスト１４１に既に登録されているフィールド機器３１が重複して登録された場合）には（ステップＳ５１；Ｎｏ）、ステップＳ５３に直ちに移行する。
【００８７】
ステップＳ５３では、プロセスデータの取得を指示する指示情報が、通信手段１６を介して受信される（ステップＳ５３；Ｙｅｓ）。続いて、監視対象機器リスト１４１の登録内容に基づいて、ＯＰＣ通信手段１５を介してフィールド機器３１からプロセスデータの収集が行われ、プロセスデータがヒストリアンＤＢ１４３に記憶される（ステップＳ５４）。そして、このヒストリアンＤＢ１４３から遠隔監視装置２０からの指示情報により取得が指示されたプロセスデータが読み出され、通信手段１６を介して遠隔監視装置２０に送信される（ステップＳ５５）。一方、プロセスデータを受信（取得）した遠隔監視装置２０では（ステップＳ４８；Ｙｅｓ）、このプロセスデータに基づいてフィールド機器３１の状態に関する情報が表示手段に表示されて（ステップＳ４９）、本処理は終了する。
【００８８】
以上のように、遠隔監視装置２０の表示手段２３に表示された画面（グラフィック画面、トレンドグラフ画面、帳票画面）に基づいて、フィールド機器３１のプロセスデータ収集に係る設定の変更を指示することで、プラント情報管理装置１０の記憶手段１４に記憶された監視対象機器リスト１４１の登録内容を変更することが可能であるため、フィールド機器３１のプロセスデータの収集に係る設定変更を容易且つ迅速に行うことができる。また、システム管理者による監視対象機器リスト１４１の変更工程を減らすことができるため、システム管理者の負荷を減少することができる。
【００８９】
次に、図１４を参照して、遠隔監視装置２０の監視対象機器リスト管理手段１１１により行われる監視対象機器リスト管理処理について説明する。なお、本処理において、ステップＳ６１〜ステップＳ６５の各処理は、遠隔監視装置２０の制御手段２１とＲＯＭ及び／又は記憶手段２４に記憶されたシステムプログラムとの協働により実行される処理を示しており、ステップＳ７１及びステップＳ７２の各処理は、プラント情報管理装置１０の制御手段１１とＲＯＭ及び／又は記憶手段１４に記憶されたシステムプログラムとの協働により実行される処理を示している。また、本処理は、常時又は所定期間毎に行われるものとし、その期間は任意に設定可能であるものとする。
【００９０】
まず、記憶手段１４の監視対象機器リスト１４１が通信手段２５を介して参照されるとともに、履歴情報２４１が参照される（ステップＳ６１）。次いで、この監視対象機器リスト１４１に登録された各フィールド機器３１に対するプロセスデータ最終取得日時から現在日時までの期間が、履歴情報に基づいて算出され（ステップＳ６２）、この算出された期間が所定の期間（例えば、３０日）を上回るフィールド機器３１が存在するか否かが判定される（ステップＳ６３）。なお、所定期間はプラント監視システム１の環境に応じて適宜変更可能であるものとする。
【００９１】
ここで、所定期間を上回ったフィールド機器３１が存在すると判定された場合には（ステップＳ６３；Ｙｅｓ）、監視対象機器リスト１４１から当該所定期間を上回ったフィールド機器３１に関する登録を削除させる登録内容変更指示情報が生成され（ステップＳ６４）、通信手段２５を介してプラント情報管理装置１０に送信される（ステップＳ６５）。
【００９２】
一方、登録内容変更指示情報を受信したプラント情報管理装置１０では（ステップＳ７１；Ｙｅｓ）、この登録内容変更指示情報で指示されたフィールド機器３１に関する登録情報が、監視対象機器リスト１４１から削除されて（ステップＳ７２）、本処理は終了する。
【００９３】
以上のように、監視対象機器リスト１４１に登録された各フィールド機器３１に対する、プロセスデータの最終取得日時から現在日時までの期間を算出し、この算出結果が所定期間を上回ったフィールド機器３１を前記監視対象機器リスト１４１から削除する。これにより、プロセスデータの取得が行われなくなったフィールド機器３１を監視対象機器リスト１４１から削除することが可能であるため、不必要なデータの送受信量を低減させることができるとともに、プラント情報管理装置１０にかかる負荷を低減することができる。
【００９４】
上記実施の形態におけるプラント監視システム１の細部構成および詳細動作に関しては、本発明の趣旨を逸脱しない範囲で適宜変更可能である。
【００９５】
例えば、第２の実施形態において、監視対象機器リスト管理手段２１３は登録内容変更指示情報を生成することでプラント情報管理装置１０の記憶手段１４に記憶された監視対象機器リスト１４１の登録内容の変更を行うこととしたが、これに限らず、監視対象機器リスト１４１が、遠隔監視装置２０から直接編集可能な形態で記憶手段１４に記憶されている場合には、監視対象機器リスト管理手段２１３から監視対象機器リスト１４１の登録内容を直接変更することとしてもよい。
【００９６】
また、第２の実施形態において、プロセスデータの取得に係る情報の通信と、登録内容変更指示情報の通信と、を同一の通信手段２５を介して行うこととしたが、これに限らず、他の通信手段を備え、それぞれの情報が独立した通信手段を用いて通信を行う態様としてもよい。
【図面の簡単な説明】
【００９７】
【図１】本発明の第１の実施形態に係るプラント管理システムを示した図である。
【図２】本発明の第１の実施形態に係るプラント情報管理装置の内部構成の一例を示した図である。
【図３】本発明の第１の実施形態に係る遠隔監視装置の内部構成の一例を示した図である。
【図４】遠隔監視装置の表示手段に表示された画面の一例を示した図である。
【図５】遠隔監視装置の表示手段に表示された画面の一例を示した図である。
【図６】遠隔監視装置の表示手段に表示された画面の一例を示した図である。
【図７】プラントの構成の一例を示した図である。
【図８】本発明の第１の実施形態に係る本発明に係るプラント管理システムの動作を説明するための図である。
【図９】本発明の第１の実施形態に係る設定変更処理の手順の一例を示すラダーチャートである。
【図１０】本発明の第１の実施形態に係る監視対象機器リスト管理処理の手順の一例を示すフローチャートである。
【図１１】本発明の第２の実施形態に係る遠隔監視装置の内部構成の一例を示した図である。
【図１２】本発明の第２の実施形態に係る本発明に係るプラント管理システムの動作を説明するための図である。
【図１３】本発明の第２の実施形態に係る設定変更処理の手順の一例を示すラダーチャートである。
【図１４】本発明の第２の実施形態に係る監視対象機器リスト管理処理の手順の一例を示すフローチャートである。
【図１５】従来のプラント監視システムを示した図である。
【符号の説明】
【００９８】
１  プラント監視システム
１０  プラント情報管理装置
１１  制御手段
１１１  監視対象機器リスト管理手段
１１２  プロセスデータ収集手段
１２  入力手段
１３  表示手段
１４  記憶手段
１４１  監視対象機器リスト
１４２  履歴情報
１４３  ヒストリアンＤＢ
１５  ＯＰＣ通信手段
１６  通信手段
１７  バス
２０  遠隔監視装置
２１  制御手段
２１１  プロセスデータ取得手段
２１２  表示制御手段
２１３  監視対象機器リスト管理手段
２２  入力手段
２３  表示手段
２４  記憶手段
２４１  履歴情報
２５  通信手段
２６  バス
３０  プラント
３１  フィールド機器
３２  制御システム
３３  ＯＰＣサーバ
４０  ネットワーク
５０  制御バス
【図１】
0004497058.tif 000002
【図２】
0004497058.tif 000003
【図３】
0004497058.tif 000004
【図４】
0004497058.tif 000005
【図５】
0004497058.tif 000006
【図６】
0004497058.tif 000007
【図７】
0004497058.tif 000008
【図８】
0004497058.tif 000009
【図９】
0004497058.tif 000010
【図１０】
0004497058.tif 000011
【図１１】
0004497058.tif 000012
【図１２】
0004497058.tif 000013
【図１３】
0004497058.tif 000014
【図１４】
0004497058.tif 000015
【図１５】
0004497058.tif 000016